(57)【要約】【課題】放送サービスの伝送路にチャンネルを合理的に収容し、放送サービスを効率化する技術を提供する。【解決手段】チャンネル割当装置１０は、複数の伝送路の各伝送路によって伝送された各チャンネルの視聴端末における視聴記録を取得する視聴記録取得部と、視聴記録に基づいて各チャンネルの視聴順位を算出する視聴順位算出部と、視聴順位に基づいて各伝送路に各チャンネルを割り当てるチャンネル割当部とを備えることを特徴とする。【選択図】図２
2010239179.tif 000002
【特許請求の範囲】
【請求項１】
複数の伝送路の各伝送路によって伝送された各チャンネルの視聴端末における視聴記録を取得する視聴記録取得部と、
前記視聴記録に基づいて前記各チャンネルの視聴順位を算出する視聴順位算出部と、
前記視聴順位に基づいて前記各伝送路に前記各チャンネルを割り当てるチャンネル割当部と
を備えることを特徴とするチャンネル割当装置。
【請求項２】
放送用の伝送路と通信用の伝送路とを含む複数の伝送路の各伝送路によって伝送された各チャンネルの視聴端末における視聴記録を取得する視聴記録取得部と、
前記視聴記録に基づいて前記各チャンネルの視聴順位を算出する視聴順位算出部と、
前記視聴順位が所定の順位以上である前記各チャンネルに前記放送用の伝送路を割り当て、前記視聴順位が所定の順位未満である前記各チャンネルに前記通信用の伝送路を割り当てるチャンネル割当部と
を備えることを特徴とするチャンネル割当装置。
【請求項３】
全国放送用の伝送路と地域放送用の伝送路と通信用の伝送路とを含む複数の伝送路の各伝送路によって伝送された各チャンネルの視聴端末における視聴記録を取得する視聴記録取得部と、
視聴地域を示す視聴地域情報および前記視聴記録に基づいて、全国の視聴順位である全国視聴順位および地域別の視聴順位である地域別視聴順位を算出する視聴順位算出部と、
前記全国視聴順位が第１の所定の順位以上である前記各チャンネルに全国放送用の伝送路を割り当て、前記全国視聴順位が前記第１の所定の順位未満であってかつ前記地域視聴順位が第２の所定の順位以上である前記各チャンネルに地域放送用の伝送路を割り当て、前記全国視聴順位が前記第１の所定の順位未満であってかつ前記地域視聴順位が前記第２の所定の順位未満である前記各チャンネルに前記通信用の伝送路を割り当てるチャンネル割当部と
を備えることを特徴とするチャンネル割当装置。
【請求項４】
複数の伝送路の各伝送路によって伝送された各チャンネルを受信する視聴端末と、前記各伝送路によって伝送するべき前記各チャンネルを割り当てるチャンネル割当装置とを含むチャンネル割当システムであって、
前記視聴端末は、
前記各チャンネルの視聴記録を記憶する視聴記録記憶部と、
前記視聴記録を外部に出力する視聴記録出力部と
を有し、
前記チャンネル割当装置は、
前記視聴記録を外部から取得する視聴記録取得部と、
前記視聴記録に基づいて前記各チャンネルの視聴順位を算出する視聴順位算出部と、
前記視聴順位に基づいて前記各伝送路に前記各チャンネルを割り当てるチャンネル割当部と
を有することを特徴とするチャンネル割当システム。
【請求項５】
放送用の伝送路と通信用の伝送路とを含む複数の伝送路の各伝送路によって伝送された各チャンネルを受信する視聴端末と、前記各伝送路によって伝送するべき前記各チャンネルを割り当てるチャンネル割当装置とを含むチャンネル割当システムであって、
前記視聴端末は、
前記各チャンネルの視聴記録を記憶する視聴記録記憶部と、
前記視聴記録を外部に出力する視聴記録出力部と
を有し、
前記チャンネル割当装置は、
前記視聴記録を外部から取得する視聴記録取得部と、
前記視聴記録に基づいて前記各チャンネルの視聴順位を算出する視聴順位算出部と、
前記視聴順位が所定の順位以上である前記各チャンネルに前記放送用の伝送路を割り当て、前記視聴順位が所定の順位未満である前記各チャンネルに前記通信用の伝送路を割り当てるチャンネル割当部と
を有することを特徴とするチャンネル割当システム。
【請求項６】
全国放送用の伝送路と地域放送用の伝送路と通信用の伝送路とを含む複数の伝送路の各伝送路の各伝送路によって伝送された各チャンネルを受信する視聴端末と、前記各伝送路によって伝送するべき前記各チャンネルを割り当てるチャンネル割当装置とを含むチャンネル割当システムであって、
前記視聴端末は、
前記各チャンネルの視聴記録を記憶する視聴記録記憶部と、
前記視聴記録を外部に出力する視聴記録出力部と
を有し、
前記チャンネル割当装置は、
前記視聴記録を外部から取得する視聴記録取得部と、
視聴地域を示す視聴地域情報および前記視聴記録に基づいて、前記各チャンネルの全国の視聴順位である全国視聴順位および前記各チャンネルの地域別の視聴順位である地域別視聴順位を算出する視聴順位算出部と、
前記全国視聴順位が第１の所定の順位以上である前記各チャンネルに全国放送用の伝送路を割り当て、前記全国視聴順位が前記第１の所定の順位未満であってかつ前記地域視聴順位が第２の所定の順位以上である前記各チャンネルに地域放送用の伝送路を割り当て、前記全国視聴順位が前記第１の所定の順位未満であってかつ前記地域視聴順位が前記第２の所定の順位未満である前記各チャンネルに前記通信用の伝送路を割り当てるチャンネル割当部と
を備えることを特徴とするチャンネル割当システム。
【発明の詳細な説明】
【技術分野】
【０００１】
本発明は、チャンネル割当装置およびチャンネル割当システムに関する。
【背景技術】
【０００２】
放送インフラの整備によって放送チャンネル数は益々増加すると考えられる。また、従来、リクエストに係るコンテンツの伝送路（放送波または通信回線）を選択する技術が開示されている（例えば、特許文献１参照）。
【先行技術文献】
【特許文献】
【０００３】
【特許文献１】特開平９−２１４４８５号公報
【発明の概要】
【発明が解決しようとする課題】
【０００４】
しかしながら、増加基調にある全放送チャンネルを合理的に収容し視聴者に提供する技術が存在しないという問題がある。なお、特許文献１に記載の技術は、要求に応じた送信するユニキャスト通信を前提とし、予定に基づいて放送するブロードキャスト通信には適用できない。
【０００５】
本発明は、上述した課題に鑑みてなされたものであって、放送チャンネルを効率的（合理的）に収容し、放送サービスを効率化する技術を提供することを目的とする。
【課題を解決するための手段】
【０００６】
上記問題を解決するために、本発明の一態様であるチャンネル割当装置は、複数の伝送路の各伝送路によって伝送された各チャンネルの視聴端末における視聴記録を取得する視聴記録取得部と、視聴記録に基づいて各チャンネルの視聴順位を算出する視聴順位算出部と、視聴順位に基づいて各伝送路にチャンネルを割り当てるチャンネル割当部とを備えることを特徴とする。
【０００７】
上記問題を解決するために、本発明の他の態様であるチャンネル割当装置は、放送用の伝送路と通信用の伝送路とを含む複数の伝送路の各伝送路によって伝送された各チャンネルの視聴端末における視聴記録を取得する視聴記録取得部と、視聴記録に基づいて各チャンネルの視聴順位を算出する視聴順位算出部と、視聴順位が所定の順位以上であるチャンネルに放送用の伝送路を割り当て、視聴順位が所定の順位未満であるチャンネルに通信用の伝送路を割り当てるチャンネル割当部とを備えることを特徴とする。
【０００８】
上記問題を解決するために、本発明の他の態様であるチャンネル割当装置は、全国放送用の伝送路と地域放送用の伝送路と通信用の伝送路とを含む複数の伝送路の各伝送路によって伝送された各チャンネルの視聴端末における視聴記録を取得する視聴記録取得部と、視聴地域を示す視聴地域情報および視聴記録に基づいて、全国の視聴順位である全国視聴順位および地域毎の視聴順位である地域別視聴順位を算出する視聴順位算出部と、全国視聴順位が第１の所定の順位以上であるチャンネルに全国放送用の伝送路を割り当て、全国視聴順位が第１の所定の順位未満であってかつ地域視聴順位が第２の所定の順位以上であるチャンネルに地域放送用の伝送路を割り当て、全国視聴順位が第１の所定の順位未満であってかつ地域視聴順位が第２の所定の順位未満であるチャンネルに通信用の伝送路を割り当てるチャンネル割当部とを備えることを特徴とする。
【０００９】
上記問題を解決するために、本発明の他の態様であるチャンネル割当システムは、複数の伝送路の各伝送路によって伝送された各チャンネルを受信する視聴端末と、各伝送路によって伝送するべきチャンネルを割り当てるチャンネル割当装置とを含むチャンネル割当システムであって、視聴端末は、各チャンネルの視聴記録を記憶する視聴記録記憶部と、視聴記録を外部に出力する視聴記録出力部とを有し、チャンネル割当装置は、視聴記録を外部から取得する視聴記録取得部と、視聴記録に基づいて各チャンネルの視聴順位を算出する視聴順位算出部と、視聴順位に基づいて各伝送路にチャンネルを割り当てるチャンネル割当部とを有することを特徴とする。
【００１０】
上記問題を解決するために、本発明の他の態様であるチャンネル割当システムは、放送用の伝送路と通信用の伝送路とを含む複数の伝送路の各伝送路によって伝送された各チャンネルを受信する視聴端末と、各伝送路によって伝送するべきチャンネルを割り当てるチャンネル割当装置とを含むチャンネル割当システムであって、視聴端末は、各チャンネルの視聴記録を記憶する視聴記録記憶部と、視聴記録を外部に出力する視聴記録出力部とを有し、チャンネル割当装置は、視聴記録を外部から取得する視聴記録取得部と、視聴記録に基づいて各チャンネルの視聴順位を算出する視聴順位算出部と、視聴順位が所定の順位以上であるチャンネルに放送用の伝送路を割り当て、視聴順位が所定の順位未満であるチャンネルに通信用の伝送路を割り当てるチャンネル割当部とを有することを特徴とする。
【００１１】
上記問題を解決するために、本発明の他の態様であるチャンネル割当システムは、全国放送用の伝送路と地域放送用の伝送路と通信用の伝送路とを含む複数の伝送路の各伝送路の各伝送路によって伝送された各チャンネルを受信する視聴端末と、各伝送路によって伝送するべきチャンネルを割り当てるチャンネル割当装置とを含むチャンネル割当システムであって、視聴端末は、各チャンネルの視聴記録を記憶する視聴記録記憶部と、視聴記録を外部に出力する視聴記録出力部とを有し、チャンネル割当装置は、視聴記録を外部から取得する視聴記録取得部と、視聴地域を示す視聴地域情報および視聴記録に基づいて、各チャンネルの全国の視聴順位である全国視聴順位および各チャンネルの地域毎の視聴順位である地域別視聴順位を算出する視聴順位算出部と、全国視聴順位が第１の所定の順位以上であるチャンネルに全国放送用の伝送路を割り当て、全国視聴順位が第１の所定の順位未満であってかつ地域視聴順位が第２の所定の順位以上であるチャンネルに地域放送用の伝送路を割り当て、全国視聴順位が第１の所定の順位未満であってかつ地域視聴順位が第２の所定の順位未満であるチャンネルに通信用の伝送路を割り当てるチャンネル割当部とを備えることを特徴とする。
【発明の効果】
【００１２】
本発明によれば、放送サービスの各伝送路に各チャンネルを合理的に収容できる。よって、放送サービスが効率化する。
【図面の簡単な説明】
【００１３】
【図１】本発明の第１の実施形態によるチャンネル割当システム１の概略模式図である。
【図２】サーバ１０および携帯電話２０の機能ブロック図並びにサーバ１１および携帯電話２１の機能ブロック図である。
【図３】視聴記録の一例である。
【図４】視聴順位の算出結果およびチャンネルの割当結果の一例である。
【図５】携帯電話２０、サーバ１０およびサーバ１１の動作の一例を示すフローチャートである。
【図６】本発明の第２の実施形態によるチャンネル割当システム２の概略模式図である。
【発明を実施するための形態】
【００１４】
（第１の実施形態）
以下、本発明の第１の実施形態について図面を参照して詳細に説明する。本発明の第１の実施形態によるチャンネル割当システム１は、図１に示すように、サーバ１０（本発明のチャンネル割当装置に相当する）および携帯電話２０（本発明の視聴端末に相当する）から構成される。なお、図１において携帯電話２０の数量は１つであるが、実際は、複数の携帯電話２０が存在する（他図においても同様）。
【００１５】
携帯電話２０は、複数の伝送路の各伝送路によって伝送された各チャンネルを受信する。具体的には、携帯電話２０は、放送用設備３０による放送用の伝送路（図１中は「放送波」と表記）によって伝送されたチャンネル、通信用設備４０による通信用の伝送路（図１中は「通信波」と表記）によって伝送されたチャンネルを受信する。また、携帯電話２０は、各チャンネルの視聴記録（図１中、「視聴ログ」と表記）を記憶する。また、携帯電話２０は、視聴記録をサーバ１０に送信（図１中、「アップロード」と表記）する。携帯電話２０は、視聴記録をサーバ１０に直接送信してもよいし、視聴記録を他の装置を介してサーバ１０に送信してもよい。
【００１６】
サーバ１０は、携帯電話２０に記憶された視聴記録を取得する。サーバ１０は、携帯電話２０から視聴記録を直接取得してもよいし、視聴記録を他の装置を介して取得してもよい。サーバ１０は、視聴記録に基づいて視聴順位（図１中、「人気ランキング」と表記）を算出し、視聴順位に基づいて各伝送路に伝送するべきチャンネルを割り当てる。具体的には、サーバ１０は、視聴順位が所定の順位以上であるチャンネルに放送用の伝送路を割り当て、視聴順位が所定の順位未満であるチャンネルに通信用の伝送路を割り当てる。所定の順位は、放送用の伝送路に割当可能なチャンネル数に応じた順位である。つまり、携帯電話２０が受信する全チャンネル数をＴ（Ｔは自然数）、放送用の伝送路に割当可能なチャンネル数をＮ（ＮはＴ未満の自然数）チャンネルとするとき、サーバ１０は、視聴順位がＮ位以上（１位、・・・、Ｎ位）である上位Ｎ個のチャンネルに放送用の伝送路を割り当て、視聴順位がＮ位未満（Ｎ＋１位、・・・、Ｔ位）である下位（Ｔ−Ｎ）個のチャンネルに通信用の伝送路を割り当てる。図１の例（Ｔ＝５、Ｎ＝３）では、サーバ１０は、視聴順位が３位以上（１位、２位、３位）である上位３個のチャンネル（チャンネル２、チャンネル３、チャンネル１）に放送用の伝送路を割り当て、視聴順位が３位未満（４位、５位）の下位２個のチャンネル（チャンネル４、チャンネル５）に通信用の伝送路を割り当てている。
【００１７】
図２（ａ）を用いて携帯電話２０およびサーバ１０の機能について更に説明する。携帯電話２０は、本発明に係る構成として、視聴記録記憶部２００、番組受信部２１０および視聴記録出力部２２０を備える。サーバ１０は、本発明に係る構成として、視聴記録記憶部１００、視聴記録取得部１１０、視聴順位算出部１２０およびチャンネル割当部１３０を備える。
【００１８】
携帯電話２０の番組受信部２１０は、放送用の伝送路によって伝送されるチャンネルの番組、および、通信用の伝送路によって伝送されるチャンネルの番組を受信する。番組受信部２１０は、例えば、ユーザからの入力を受け付ける入力受付部（非図示）からユーザが選択したチャンネルを識別する識別情報（以下、「チャンネルＩＤ」という）を取得した場合に、当該チャンネルに対応付けられている伝送路（放送用の伝送路または通信用の伝送路の何れかの伝送路）を利用して当該チャンネルの番組を受信する。
【００１９】
携帯電話２０の視聴記録記憶部２００は、番組受信部２１０による各チャンネルの受信履歴を視聴記録として記憶する。例えば、視聴記録記憶部２００は、図３（ａ）に示すように、チャンネル毎の視聴開始日時および視聴終了日時を記憶する。また例えば、視聴記録記憶部２００は、図３（ｂ）に示すように、視聴開始日時および視聴終了日時に対応付けて視聴したチャンネル（視聴チャンネル）を記憶してもよい。
【００２０】
携帯電話２０の視聴記録出力部２２０は、視聴記録記憶部２００に記憶されている視聴記録をサーバ１０に出力（送信）する。例えば、視聴記録出力部２２０は、サーバ１０と通信する際に、視聴記録記憶部２００に所定量以上の視聴記録が記憶されているか否かを判断し、所定量以上の視聴記録が記憶されると判断した場合に、視聴記録をサーバ１０に出力する。また例えば、視聴記録出力部２２０は、上記場合に加えてまたは代えて、サーバ１０と通信する際に、前回の視聴記録の送信から所定時間を経過しているか否かを判断し、所定時間を経過していると判断した場合に、視聴記録をサーバ１０に出力してもよい。また、視聴記録出力部２２０は、図３（ｃ）に示すように、視聴記録記憶部２００に記憶されている視聴記録を集計（例えば、チャンネル毎の視聴時間に集計）して、集計後の視聴記録をサーバ１０に出力してもよい。
【００２１】
サーバ１０の視聴記録取得部１１０は、視聴記録を携帯電話２０から取得する。なお、視聴記録取得部１１０は、複数の携帯電話２０から視聴記録を取得する。サーバ１０の視聴記録記憶部１００は、視聴記録取得部１１０によって取得された視聴記録を記憶する。
【００２２】
サーバ１０の視聴順位算出部１２０は、視聴記録記憶部１００に記憶されている視聴記録に基づいて、各チャンネルの視聴順位を算出する。即ち、視聴順位算出部１２０は、複数の携帯電話２０によるチャンネル別の総視聴時間を算出し、総視聴時間が長い順に各チャンネルの視聴順位を決定する。視聴順位算出部１２０は、視聴順位の算出結果をチャンネル割当部１３０に供給する。なお、図４（ａ）は、視聴順位の算出結果の一例である。図４（ａ）の例は、視聴順位算出部１２０が、視聴順位「１位」はチャンネル２、視聴順位「２位」はチャンネル３、視聴順位「３位」はチャンネル１、視聴順位「４位」はチャンネル４、視聴順位「５位」はチャンネル５であると算出した算出結果である。
【００２３】
サーバ１０のチャンネル割当部１３０は、視聴順位算出部１２０によって算出された視聴順位に基づいて、各伝送路にチャンネルを割り当てる。具体的には、チャンネル割当部１３０は、視聴順位が所定の順位以上であるチャンネルに放送用の伝送路を割り当て、視聴順位が所定の順位未満であるチャンネルに通信用の伝送路を割り当てる。チャンネル割当部１３０は、割当結果を放送用設備３０および通信用設備４０に出力（送信）する。なお、図４（ｂ）は、チャンネルの割当結果の一例である。図４（ｂ）の例は、チャンネル割当部１３０が、放送用の伝送路にチャンネル１、２、３を割り当て、通信用の伝送路にチャンネル４、５を割り当てた割当結果である。
【００２４】
なお、サーバ１０のチャンネル割当部１３０から割当結果を取得した放送用設備３０は、割当結果に基づいて該当するチャンネルを放送用の伝送路によって伝送する。例えば、放送用設備３０は、図４（ｂ）に示す割当結果を取得した場合、チャンネル２、３、１を放送用の伝送路によって伝送する。また、サーバ１０のチャンネル割当部１３０から割当結果を取得した通信用設備４０は、割当結果に基づいて該当するチャンネルを通信用の伝送路によって伝送する。例えば、通信用設備４０は、図４（ｂ）に示す割当結果を取得した場合、チャンネル４、５を通信用の伝送路によって伝送する。なお、放送用設備３０および通信用設備４０は、各チャンネルの番組情報をコンテンツ格納装置（非図示）から取得する。なお、サーバ１０がコンテンツ格納装置であってもよい。
【００２５】
続いて、図５（ａ）（ｂ）（ｃ）を用いてチャンネル割当システム１の動作を説明する。なお、図５（ａ）は携帯電話２０による視聴記録の記憶時の動作を示すフローチャート、図５（ｂ）は携帯電話２０による視聴記憶の出力時の動作を示すフローチャート、図５（ｃ）はサーバ１０によるチャンネルの割当時の動作を示すフローチャートである。なお、図５（ｄ）については後述する。
【００２６】
図５（ａ）に示すフローチャートは、番組受信部２１０が入力受付部（非図示）からチャンネルＩＤを取得することにより開始する。なお、入力受付部（非図示）は、番組表を介してユーザから番組選択の入力を受け付けたときに、当該番組のチャンネルＩＤを番組受信部２１０に供給するものとする。また、携帯電話２０は、外部（例えばサーバ１０）から適宜、番組表を受信するものとする。また、番組表には番組とチャンネルと伝送路との対応付けが記憶されているものとする。
【００２７】
チャンネルＩＤを取得した番組受信部２１０は、チャンネルＩＤに対応付けて視聴記録（視聴開始日時）を視聴記録記憶部２００に記憶し（ステップＳ１００）、番組を受信する（ステップＳ１１０）。続いて、番組受信部２１０は、チャンネルが変更されたか否かを判断する（ステップＳ１２０）。例えば、番組受信部２１０は、入力受付部（非図示）から新たなチャンネルＩＤ（変更後のチャンネルＩＤ）を取得した場合にチャンネルが変更されたと判断する。
【００２８】
番組受信部２１０は、チャンネルが変更されたと判断した場合（ステップＳ１２０：Ｙｅｓ）、変更前のチャンネルＩＤに対応付けて視聴記録（視聴終了日時）を視聴記録記憶部２００に記憶し（ステップＳ１３０）、ステップＳ１００に戻って変更後のチャンネルＩＤに対応付けて視聴記録（視聴開始日時）を視聴記録記憶部２００に記憶する（ステップＳ１００）。
【００２９】
一方、番組受信部２１０は、チャンネルが変更されていない判断した場合（ステップＳ１２０：Ｎｏ）、視聴を終了するか否かを判断する（ステップＳ１４０）。例えば、番組受信部２１０は、入力受付部（非図示）から視聴終了の通知を取得した場合に視聴を終了すると判断する。番組受信部２１０は、視聴を終了しないと判断した場合（ステップＳ１４０：Ｎｏ）、ステップＳ１１０に戻る。一方、番組受信部２１０は、視聴を終了すると判断した場合（ステップＳ１４０：Ｙｅｓ）、現在のチャンネルＩＤに対応付けて視聴記録（視聴終了日時）を視聴記録記憶部２００に記憶し（ステップＳ１５０）、番組受信を終了する（ステップＳ１６０）。そして図５（ａ）に示すフローチャートは終了する。
【００３０】
図５（ｂ）に示すフローチャートは、例えば、携帯電話２０の電源導入により開始する。視聴記録出力部２２０は、サーバ１０と通信する機会が発生したか否かを判断する（ステップＳ２００）。例えば、視聴記録出力部２２０は、入力受付部（非図示）からサーバ１０と通信する旨の通知を取得した場合にサーバ１０と通信する機会が発生したと判断する。
【００３１】
視聴記録出力部２２０は、サーバ１０と通信する機会が発生したと判断した場合（ステップＳ２００：Ｙｅｓ）、視聴記録記憶部２００に所定量以上の視聴記録が記憶されているか否かを判断する（ステップＳ２１０）。視聴記録出力部２２０は、所定量以上の視聴記録が記憶されていないと判断した場合（ステップＳ２１０：Ｎｏ）、前回の視聴記録の送信から所定時間を経過しているか否かを判断する(ステップＳ２２０)。
【００３２】
視聴記録出力部２２０は、所定量以上の視聴記録が記憶されていると判断した場合（ステップＳ２１０：Ｙｅｓ）または前回の視聴記録の送信から所定時間を経過していると判断した場合(ステップＳ２２０：Ｙｅｓ)、視聴記録をサーバ１０に出力する（ステップＳ２３０）。なお、視聴記録出力部２２０が視聴記録をサーバ１０に出力した場合、サーバ１０（視聴記録取得部１１０）は、当該視聴記録を取得して視聴記録記憶部１００に記憶する。
【００３３】
視聴記録出力部２２０は、サーバ１０と通信する機会が発生していないと判断した場合（ステップＳ２００：Ｎｏ）、所定時間を経過していないと判断した場合（ステップＳ２２０：Ｎｏ）、または、ステップＳ２３０に続いて、電源がオフされたか否かを判断する（ステップＳ２４０）。例えば、視聴記録出力部２２０は、入力受付部（非図示）から電源オフの通知を取得した場合に電源がオフされたと判断する。視聴記録出力部２２０は、電源がオフされていないと判断した場合（ステップＳ２４０：Ｎｏ）、ステップＳ２００に戻る。一方、視聴記録出力部２２０は、電源がオフされたと判断した場合（ステップＳ２４０：Ｙｅｓ）、図５（ｂ）に示すフローチャートは終了する。なお、携帯電話２０は、視聴記録を所定の条件下において出力する視聴記録出力モードと、視聴記録を出力しない視聴記録非出力モードとを有してもよい。携帯電話２０が視聴記録出力モードと視聴記録非出力モードとを有する場合、図５（ｂ）に示すフローチャートは、ユーザによる視聴記録出力モードの設定時に開始し、ユーザによる視聴記録非出力モードの設定時に終了してもよい。
【００３４】
図５（ｃ）に示すフローチャートは、例えば、サーバ１０の管理者からの指示、所定の時刻、視聴記録記憶部１００に所定量以上の視聴記録が記憶されている場合などに開始する。視聴順位算出部１２０は、視聴記録記憶部１００に記憶されている視聴記録に基づいて、各チャンネルの視聴順位を算出する（ステップＳ３００）。視聴順位算出部１２０は、視聴順位の算出結果をチャンネル割当部１３０に供給する。チャンネル割当部１３０は、視聴順位の算出結果に基づいて、視聴順位が所定の順位以上であるチャンネルに放送用の伝送路に割り当てるとともに（ステップＳ３１０）、視聴順位が所定の順位未満であるチャンネルに通信用の伝送路を割り当てる（ステップＳ３２０）。チャンネル割当部１３０は、割当結果を放送用設備３０および通信用設備４０に出力する。そして図５（ｃ）に示すフローチャートは終了する。
【００３５】
以上、チャンネル割当システム１によれば、放送サービスの各伝送路に各チャンネルを合理的に収容できる。よって、放送サービスが効率化する。また、番組表に番組とチャンネルと伝送路との対応付けが記憶されているため、携帯電話２０のユーザは、視聴する番組が何れの伝送路によって伝送されるか何も意識する必要はない。また、記録情報は、サーバ１０と通信する機会が発生した時にサーバ１０に出力されるため、携帯電話２０のユーザには何も負担がかからない。
【００３６】
（第２の実施形態）
以下、本発明の第２の実施形態について図面を参照して詳細に説明する。本発明の第２の実施形態によるチャンネル割当システム２は、図６に示すように、サーバ１１（本発明のチャンネル割当装置に相当する）および携帯電話２１（本発明の視聴端末に相当する）から構成される。
【００３７】
携帯電話２１は、複数の伝送路の各伝送路によって伝送された各チャンネルを受信する。具体的には、携帯電話２１は、放送用設備３１による全国放送用の伝送路（図６中は「全国放送波」と表記）によって伝送されたチャンネル、放送用設備３１による地域放送用の伝送路（図６中は「地域放送波」と表記）によって伝送されたチャンネル、通信用設備４０による通信用の伝送路（図６中は「通信波」と表記）によって伝送されたチャンネルを受信する。また、携帯電話２１は、各チャンネルの視聴記録（図６中、「視聴ログ」と表記）を記憶する。また、携帯電話２１は、視聴地域を示す地域情報とともに視聴記録をサーバ１１に送信（図１中、「アップロード」と表記）する。携帯電話２１は、地域情報および視聴記録をサーバ１１に直接送信してもよいし、地域情報および視聴記録を他の装置を介してサーバ１１に送信してもよい。
【００３８】
サーバ１１は、地域情報および視聴記録を取得する。サーバ１１は、携帯電話２１から地域情報および視聴記録を直接取得してもよいし、地域情報および視聴記録を他の装置を介して取得してもよい。サーバ１１は、地域情報および視聴記録に基づいて全国視聴順位（図６中、「全国人気ランキング」と表記）と地域別視聴順位（図６中、「地域人気ランキング」と表記）を算出し、視聴順位に基づいて各伝送路に伝送するべきチャンネルを割り当てる。具体的には、サーバ１１は、全国視聴順位が第１の所定の順位以上であるチャンネルに全国放送用の伝送路を割り当て、全国視聴順位が第１の所定の順位未満であってかつ地域視聴順位が第２の所定の順位以上であるチャンネルに地域放送用の伝送路を割り当て、全国視聴順位が第１の所定の順位未満であってかつ地域視聴順位が第２の所定の順位未満であるチャンネルに通信用の伝送路を割り当てる。第１の所定の順位は、全国放送用の伝送路に割当可能なチャンネル数に応じた順位である。第２の所定の順位は、地域放送用の伝送路に割当可能なチャンネル数に応じた順位である。つまり、携帯電話２１が受信する全チャンネル数をＴ（Ｔは自然数）、全国放送用の伝送路に割当可能なチャンネル数をＮｚ（ＮｚはＴ未満の自然数、但し、Ｔ＞Ｎｚ＋Ｎｔ）チャンネル、地域放送用の伝送路に割当可能なチャンネル数をＮｔ（ＮｔはＴ未満の自然数、但し、Ｔ＞Ｎｚ＋Ｎｔ）チャンネルとするとき、サーバ１１は、全国視聴順位がＮｚ位以上（１位、・・・、Ｎｚ位）であるチャンネルに全国放送用の伝送路を割り当て、全国視聴順位がＮｚ位未満（Ｎｚ＋１位、・・・、Ｔ位）であってかつ地域視聴順位がＮｔ位以上（１位、・・・、Ｎｔ位）であるチャンネルに地域放送用の伝送路を割り当て、全国視聴順位がＮｚ位未満（Ｎｚ＋１位、・・・、Ｔ位）であってかつ地域視聴順位がＮｔ位未満（Ｎｔ＋１位、・・・、Ｔ位）であるチャンネルに通信用の伝送路を割り当てる。図６の例（Ｔ＝５、Ｎｚ＝２、Ｎｔ＝１）では、サーバ１１は、全国視聴順位が２位以上（１位、２位）のチャンネル（チャンネル５、チャンネル３）に全国放送用の伝送路を割り当て、全国視聴順位が２位未満（３位、４位、５位）であってかつ地域視聴順位が１位以上（１位）であるチャンネル（チャンネル２）に地域放送用の伝送路を割り当て、全国視聴順位が２位未満（３位、４位、５位）であってかつ地域視聴順位が１位未満（２位、３位、４位、５位）であるチャンネル（チャンネル１、チャンネル４）に通信用の伝送路を割り当てている。なお、第１の所定の順位と第２の所定の順位とは同じであってもよい。
【００３９】
図２（ｂ）を用いて携帯電話２１およびサーバ１１の機能について更に説明する。携帯電話２１は、本発明に係る構成として、視聴記録記憶部２００、番組受信部２１１および視聴記録出力部２２１を備える。サーバ１１は、本発明に係る構成として、視聴記録記憶部１０１、視聴記録取得部１１１、視聴順位算出部１２１およびチャンネル割当部１３１を備える。
【００４０】
携帯電話２１の番組受信部２１１は、全国放送用の伝送路によって伝送されるチャンネルの番組、地域放送用の伝送路によって伝送されるチャンネルの番組、および、通信用の伝送路によって伝送されるチャンネルの番組を受信する。番組受信部２１１は、入力受付部（非図示）からチャンネルＩＤを取得した場合に、当該チャンネルに対応付けられている伝送路（全国放送用の伝送路、地域放送用の伝送路または通信用の伝送路の何れかの伝送路）を利用して当該チャンネルの番組を受信する。
【００４１】
携帯電話２１の視聴記録記憶部２０１は、第１の実施形態に係る携帯電話２０の視聴記録記憶部２００と同様、各チャンネルの受信履歴を視聴記録として記憶する。
【００４２】
携帯電話２１の視聴記録出力部２２１は、地域情報とともに、視聴記録記憶部２００に記憶されている視聴記録をサーバ１１に出力（送信）する。なお、携帯電話２１は、予め所定（固定）の地域情報（例えば、携帯電話２１の契約時の居所）を記憶し、視聴記録出力部２２１は、当該所定の地域情報をサーバ１１に出力してもよい。また、携帯電話２１は、所定の地域情報に代えて、視聴記録をサーバ１１に出力する際の位置情報をサーバ１１に出力してもよい。なお、視聴記録出力部２２１が視聴記録をサーバ１１に出力する態様は、第１の実施形態に係る携帯電話２０の視聴記録出力部２２０と同様である。
【００４３】
サーバ１１の視聴記録取得部１１１は、地域情報および視聴記録を携帯電話２１から取得する。なお、視聴記録取得部１１１は、複数の携帯電話２１から地域情報および視聴記録を取得する。サーバ１１の視聴記録記憶部１０１は、視聴記録取得部１１１によって取得された地域情報および視聴記録を記憶する。
【００４４】
サーバ１１の視聴順位算出部１２１は、視聴記録記憶部１０１に記憶されている地域情報および視聴記録に基づいて、各チャンネルの全国視聴順位および地域視聴順位を算出する。即ち、視聴順位算出部１２１は、複数の携帯電話２１による、地域別、チャンネル別の総視聴時間を算出し、各チャンネルの全国視聴順位および地域視聴順位を算出する。視聴順位算出部１２１は、視聴順位の算出結果をチャンネル割当部１３１に供給する。なお、図４（ｃ）は、全国視聴順位および地域視聴順位の算出結果の一例である。図４（ｃ）の例は、視聴順位算出部１２１が、全国視聴順位「１位」はチャンネル５、全国視聴順位「２位」はチャンネル３、全国視聴順位「３位」はチャンネル１、全国視聴順位「４位」はチャンネル４、全国視聴順位「５位」はチャンネル２、地域視聴順位「１位」はチャンネル２、地域視聴順位「２位」はチャンネル３、地域視聴順位「３位」はチャンネル１、地域視聴順位「４位」はチャンネル４、地域視聴順位「５位」はチャンネル５であると算出した算出結果である。
【００４５】
サーバ１１のチャンネル割当部１３１は、全国視聴順位が第１の所定の順位以上であるチャンネルに全国放送用の伝送路を割り当て、全国視聴順位が第１の所定の順位未満であってかつ地域視聴順位が第２の所定の順位以上であるチャンネルに地域放送用の伝送路を割り当て、全国視聴順位が第１の所定の順位未満であってかつ地域視聴順位が第２の所定の順位未満であるチャンネルに通信用の伝送路を割り当てる。チャンネル割当部１３１は、割当結果を放送用設備３１および通信用設備４０に出力（送信）する。なお、図４（ｄ）は、チャンネルの割当結果の一例である。図４（ｄ）の例は、チャンネル割当部１３１が、全国放送用の伝送路にチャンネル５、３を割り当て、地域放送用の伝送路にチャンネル２を割り当て、通信用の伝送路にチャンネル１、４を割り当てた割当結果である。
【００４６】
なお、サーバ１１のチャンネル割当部１３１から割当結果を取得した放送用設備３１は、割当結果に基づいて該当するチャンネルを全国放送用または地域放送用の伝送路によって伝送する。例えば、放送用設備３１は、図４（ｄ）に示す割当結果を取得した場合、チャンネル５、３を全国放送用の伝送路によって伝送し、チャンネル２を地域放送用の伝送路によって伝送する。
【００４７】
続いて、図５（ｄ）を用いてサーバ１１によるチャンネルの割当時の動作を説明する。  図５（ｄ）に示すフローチャートは、例えば、サーバ１１の管理者からの指示、所定の時刻、視聴記録記憶部１０１に所定量以上の視聴記録が記憶されている場合などに開始する。視聴順位算出部１２１は、視聴記録記憶部１０１に記憶されている地域情報および視聴記録に基づいて、全国視聴順位を算出する（ステップＳ４００）、地域視聴順位を算出する（ステップＳ４０５）。視聴順位算出部１２１は、全国視聴順位および地域視聴順位の算出結果をチャンネル割当部１３１に供給する。チャンネル割当部１３１は、全国視聴順位および地域視聴順位の算出結果に基づいて、全国視聴順位が第１の所定の順位以上であるチャンネルに全国放送用の伝送路を割り当て（ステップＳ４１０）、全国視聴順位が第１の所定の順位未満であってかつ地域視聴順位が第２の所定の順位以上であるチャンネルに地域放送用の伝送路を割り当て（ステップＳ４１５）、全国視聴順位が第１の所定の順位未満であってかつ地域視聴順位が第２の所定の順位未満であるチャンネルに通信用の伝送路を割り当てる（ステップＳ４２０）。チャンネル割当部１３１は、割当結果を放送用設備３１および通信用設備４０に出力する。そして図５（ｄ）に示すフローチャートは終了する。
【００４８】
以上、チャンネル割当システム２によれば、全国放送サービスおよび地域放送サービスの各伝送路に各チャンネルを合理的に収容できる。よって、放送サービスが効率化する。また、番組表に番組とチャンネルと伝送路との対応付けが記憶されているため、携帯電話２１のユーザは、視聴する番組が何れの伝送路によって伝送されるか何も意識する必要はない。また、記録情報は、サーバ１１と通信する機会が発生した時にサーバ１１に出力されるため、携帯電話２１のユーザには何も負担がかからない。
【００４９】
なお、第２の実施形態において、サーバ１１が携帯電話２１を識別する端末識別情報に対応付けて地域情報を予め記憶している場合には、携帯電話２１は、地域情報に代えて端末識別情報とともに視聴記録をサーバ１１に出力してもよい。なお、端末識別情報の一例は、電話番号、メールアドレス、チャンネル割当システム２において携帯電話２１に別途に付与する識別情報（例えば、チャンネル割当システム２用の登録番号）などである。
【００５０】
また、複数の伝送路として、第１の実施形態においては放送用の伝送路と通信用の伝送路とを区分した例を説明し、第２の実施形態においては放送用の伝送路を更に全国放送用と地域放送用とに区分する例を説明したが、複数の伝送路の区分は上記例に限定されない。例えば、衛星放送用の伝送路と地上波用の伝送路とを区分してもよいし、有料放送用の伝送路と無料用放送用の（有料放送用でない）伝送路とに区分してもよい。
【００５１】
なお、第１の実施形態における携帯電話２０は、視聴端末の一例である。視聴端末は、例えば、ノートパソコン、ゲーム機器、楽音再生機器、カーナビゲーションシステム本体などであってもよい。第２の実施形態における携帯電話２１についても同様である。
【００５２】
なお、本発明の一実施形態によるチャンネル割当システム１、２の各処理を実行するためのプログラムをコンピュータ読み取り可能な記録媒体に記録して、当該記録媒体に記録されたプログラムをコンピュータシステムに読み込ませ、実行することにより、本発明の一実施形態によるチャンネル割当システム１、２に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５４】
以上、この発明の実施形態について図面を参照して詳述してきたが、具体的な構成はこの実施形態に限られるものではなく、この発明の要旨を逸脱しない範囲の設計等も含まれる。
【符号の説明】
【００５５】
１、２  チャンネル割当システム  １０、１１  サーバ（チャンネル割当装置）  ２０、２１  携帯電話（視聴端末）  ３０、３１  放送用設備  ４０  通信用設備  １００、１０１  視聴記録記憶部  １１０、１１１  視聴記録取得部  １２０、１２１  視聴順位算出部  １３０、１３１  チャンネル割当部  ２００  視聴記録記憶部  ２１０、２１１  番組受信部  ２２０、２２１  視聴記録出力部
【図１】
2010239179.tif 000003
【図２】
2010239179.tif 000004
【図３】
2010239179.tif 000005
【図４】
2010239179.tif 000006
【図５】
2010239179.tif 000007
【図６】
2010239179.tif 000008